(57)【特許請求の範囲】
【請求項１】
本体部及び本体部から延び、長さの異なる一対の電極を具備する素子に関し、前記各電極が離間状態となるよう仕分けるための電極仕分け装置であって、
長い方の電極を一方の面側へ、短い方の電極を他方の面側へ案内可能なセパレータを具備し、
前記セパレータは、長い方の電極が短い方の電極よりも先に案内されるよう構成されていることを特徴とする電極仕分け装置。
【請求項２】
本体部及び本体部から延び、長さの異なる一対の電極を具備する素子に関し、前記本体部が保持された状態で、前記各電極間にセパレータを相対的に通過させることで前記各電極が離間状態となるよう仕分けるための電極仕分け装置であって、
前記セパレータは、まず長い方の電極のみを一方の面側へ案内可能な第１のテーパ面と、次いで短い方の電極のみを他方の面側へ案内可能な第２のテーパ面とを具備することを特徴とする電極仕分け装置。
【請求項３】
本体部及び本体部から延び、長さの異なる一対の電極を具備する素子に関し、前記本体部が保持された状態で、前記各電極間にセパレータを相対的に通過させることで前記各電極が離間状態となるよう仕分けるための電極仕分け装置であって、
前記セパレータは、長い方の電極のみを一方の面側へ案内可能な第１のテーパ面と、短い方の電極のみを他方の面側へ案内可能な第２のテーパ面とを具備し、かつ、前記第１のテーパ面と第２のテーパ面とは前記電極の長手方向に沿ってそれぞれ別の部位に設けられていることを特徴とする電極仕分け装置。
【請求項４】
前記長い方の電極が一方の面側へ完全に案内された後で短い方の電極のみが他方の面側へ案内されるよう、前記第１のテーパ面と第２のテーパ面との間に前記相対的通過方向に所定の隔たりが設けられていることを特徴とする請求項２又は３に記載の電極仕分け装置。
【請求項５】
前記素子は、前記本体部が保持された状態で、断続的又は連続的に搬送されるよう構成されており、前記セパレータは、前記搬送されてくる素子を待ち受ける格好で固定的に設置されていることを特徴とする請求項２乃至４のいずれかに記載の電極仕分け装置。
【請求項６】
前記第１のテーパ面は、前記第２のテーパ面よりも前記本体部から離れた位置に設けられていることを特徴とする請求項２乃至５のいずれかに記載の電極仕分け装置。
【請求項７】
少なくとも前記第２のテーパ面は、短い方の電極の先端側が優先的に案内されるよう構成されていることを特徴とする請求項２乃至６のいずれかに記載の電極仕分け装置。
【請求項８】
前記セパレータは、前記電極の長手方向に移動設置可能となっていることを特徴とする請求項２乃至７のいずれかに記載の電極仕分け装置。
【請求項９】
前記第１のテーパ面は、少なくとも前記一対の電極の付け根部における両電極間の中央部から長い方の電極までの距離よりも大きな案内幅を具備していることを特徴とする請求項２乃至８のいずれかに記載の電極仕分け装置。
【請求項１０】
前記第２のテーパ面は、少なくとも前記一対の電極の付け根部における両電極間の中央部から短い方の電極までの距離よりも大きな案内幅を具備していることを特徴とする請求項２乃至９のいずれかに記載の電極仕分け装置。
【請求項１１】
前記第２のテーパ面による短い方の電極の案内開始位置は、案内後の長い方の電極を案内不能な位置に設定されていることを特徴とする請求項２乃至１０のいずれかに記載の電極仕分け装置。
【請求項１２】
本体部及び本体部から延び、長さの異なる一対の電極を具備し、かつ、前記本体部が保持された状態で搬送されてくる素子に関し、前記各電極間に対応する位置にセパレータを固定的に設置することで、セパレータを通過させられる前記素子の各電極が互いに離間状態となるよう仕分けるための電極仕分け装置であって、
前記セパレータは、短い方の電極が届かない部位に位置し、まず長い方の電極のみを一方の面側へ案内可能な第１のテーパ面と、前記長い方の電極が一方の面側へ完全に案内された後で、短い方の電極のみを他方の面側へ案内可能な第２のテーパ面とを具備することを特徴とする電極仕分け装置。
【請求項１３】
前記素子は、電解コンデンサ素子であり、前記電極は針金状のプラス及びマイナスリード線であることを特徴とする請求項１乃至１２のいずれかに記載の電極仕分け装置。
【発明の詳細な説明】
【０００１】
【発明の属する技術分野】
本発明は、電極仕分け装置に係り、例えば、一対の電極を具備する電解コンデンサ素子について、各電極が離間状態となるよう仕分けるための電極仕分け装置を含む技術分野に属するものである。
【０００２】
【従来の技術】
従来、電解コンデンサの製造過程において、製造中に生じた誘電体酸化皮膜の部分的破壊を修復するべく、エージング処理が施される。電解コンデンサ素子をエージング処理する場合、多数の電解コンデンサ素子を保持具に保持させたまま加熱炉内に入れて加熱するとともに、保持された電解コンデンサ素子に所定の電圧を供給することが行われる。
【０００３】
上記のようなエージング処理が施された後の電解コンデンサ素子は、例えばリーク電流に関する検査（ＬＣ検査）に供される。一般に、ＬＣ検査が行われる場合、事前に所定時間の充電が行われる。かかる充電時におけるショート等の不具合を防止するために、電解コンデンサ素子の１対の電極を事前に仕分けしておく必要が生じる。
【０００４】
従来の仕分け方法としては、例えば図４に示すようなセパレータ５０を用いて仕分けする方法が挙げられる。すなわち、電解コンデンサ素子５１は、本体部５２及び一対の電極５３，５４を備えており、本体部５２がベルト５５に取付けられたコンベアチャック（図示略）にて保持された状態で次々に搬送されてくる。かかる搬送経路の途中にセパレータ５０が設けられており、前記電極５３，５４がセパレータ５０を挟むようにして通過するようになっている。セパレータ５０の先端部分は楔状をなしており、上側に位置する一方の電極５３を案内するための上部テーパ面５６と、下側に位置する他方の電極５４を案内するための下部テーパ面５７とを備えている。そして、基本的には、前記一方の電極５３が上部テーパ面５６に沿ってセパレータ５０の上面側に案内され、また、他方の電極５４が下部テーパ面５７に沿ってセパレータ５０の下面側に案内されることで、一対の電極５３，５４が離間状態となるよう仕分けられる。
【０００５】
【発明が解決しようとする課題】
ところが、上記技術では、各電極５３，５４が互いに絡み合ったり、交差したりしている場合には、必ずしも予定通りに仕分けすることができないおそれがある。より詳しくは、図５（ａ）に示すように、いずれの電極５３，５４も同じ側に案内されてしまったり、或いは、図５（ｂ）に示すように、電極５３，５４が根本部分から折れ曲がってしまったりするおそれがある。そして、このように当初予定していた仕分けが適切に行われない場合には、例えばその後の充電においてショート等の不具合が発生してしまうおそれがある。
【０００６】
本発明は、上記各事情に鑑みてなされたものであり、複雑な機構を用いることなく、適切に電極の仕分けを行うことのできる電極仕分け装置を提供することを主たる目的の一つとしている。
【０００７】
【課題を解決するための手段及びその効果】
上記目的を達成し得る特徴的手段について以下に説明する。また、各手段につき、特徴的な作用及び効果を必要に応じて記載する。
【０００８】
手段１．本体部及び本体部から延び、長さの異なる一対の電極を具備する素子に関し、前記各電極が離間状態となるよう仕分けるための電極仕分け装置であって、長い方の電極を一方の面側へ、短い方の電極を他方の面側へ案内可能なセパレータを具備することを特徴とする電極仕分け装置。
【０００９】
手段１によれば、長さの異なる一対の電極を具備する素子に関し、セパレータによって長い方の電極が一方の面側へ、短い方の電極が他方の面側へ案内される。従って、たとえ電極が互いに絡み合ったり、交差したりしていても、長い方の電極と、短い方の電極とを確実に仕分けすることができる。そのため、その後の工程における不具合を起こりにくくすることができる。
【００１０】
手段２．前記セパレータは、長い方の電極が短い方の電極よりも先に案内されるよう構成されていることを特徴とする手段１に記載の電極仕分け装置。
【００１１】
手段２によれば、同時に仕分けが行われるのではなく、長い方の電極が一旦先に案内され、その上で短い方の電極が案内されるので、両電極が混同されず、より確実に仕分けが行われる。
【００１２】
手段３．本体部及び本体部から延び、長さの異なる一対の電極を具備する素子に関し、前記本体部が保持された状態で、前記各電極間にセパレータを相対的に通過させることで前記各電極が離間状態となるよう仕分けるための電極仕分け装置であって、前記セパレータは、まず長い方の電極のみを一方の面側へ案内可能な第１のテーパ面と、次いで短い方の電極のみを他方の面側へ案内可能な第２のテーパ面とを具備することを特徴とする電極仕分け装置。
【００１３】
手段３によれば、素子の本体部が保持された状態で、各電極間にセパレータが相対的に通過させられることで各電極が離間状態となるよう仕分けられる。この際、セパレータの第１のテーパ面によって、まず長い方の電極のみが一方の面側へ案内され、次いで第２のテーパ面によって短い方の電極のみが他方の面側へ案内される。従って、たとえ電極が互いに絡み合ったり、交差したりしていても、長い方の電極と、短い方の電極とを確実に仕分けすることができる。そのため、その後の工程における不具合を起こりにくくすることができる。
【００１４】
手段４．本体部及び本体部から延び、長さの異なる一対の電極を具備する素子に関し、前記本体部が保持された状態で、前記各電極間にセパレータを相対的に通過させることで前記各電極が離間状態となるよう仕分けるための電極仕分け装置であって、前記セパレータは、長い方の電極のみを一方の面側へ案内可能な第１のテーパ面と、短い方の電極のみを他方の面側へ案内可能な第２のテーパ面とを具備し、かつ、前記第１のテーパ面と第２のテーパ面とは前記電極の長手方向に沿ってそれぞれ別の部位に設けられていることを特徴とする電極仕分け装置。
【００１５】
手段４によれば、セパレータの第１のテーパ面によって、長い方の電極のみが一方の面側へ案内され、セパレータの第２のテーパ面によって、短い方の電極のみが他方の面側へ案内される。しかも、第１のテーパ面と第２のテーパ面とは電極の長手方向に沿ってそれぞれ別の部位に設けられているため、たとえ電極が互いに絡み合ったり、交差したりしていても、長い方の電極と、短い方の電極とを確実に仕分けすることができる。そのため、その後の工程における不具合を起こりにくくすることができる。
【００１６】
手段５．前記長い方の電極が一方の面側へ完全に案内された後で短い方の電極のみが他方の面側へ案内されるよう、前記第１のテーパ面と第２のテーパ面との間に前記相対的通過方向に所定の隔たりが設けられていることを特徴とする手段３又は４に記載の電極仕分け装置。
【００１７】
手段５によれば、第１のテーパ面と第２のテーパ面との間に相対的通過方向に所定の隔たりが設けられているため、長い方の電極が一方の面側へ完全に案内された後で、短い方の電極のみが他方の面側へ案内される。従って、より正確かつ確実に仕分けを行うことができる。
【００１８】
手段６．前記素子は、前記本体部が保持された状態で、断続的又は連続的に搬送されるよう構成されており、前記セパレータは、前記搬送されてくる素子を待ち受ける格好で固定的に設置されていることを特徴とする手段３乃至５のいずれかに記載の電極仕分け装置。
【００１９】
手段６によれば、素子は、その本体部が保持された状態で、断続的又は連続的に搬送される。これに対し、セパレータは、搬送されてくる素子を待ち受ける格好で固定的に設置されている。従って、セパレータを挟むようにして電極が通過することとなり、この通過に際し、上述した案内が確実に行われる。そのため、断続的又は連続的に仕分け作業を行うことができ、作業効率が高められる。
【００２０】
手段７．前記第１のテーパ面は、前記第２のテーパ面よりも前記本体部から離れた位置に設けられていることを特徴とする手段３乃至６のいずれかに記載の電極仕分け装置。
【００２１】
手段７によれば、第１のテーパ面の方が第２のテーパ面よりも本体部から離れた位置に設けられているため、短い方の電極が第１のテーパ面に届きにくく、しかも、第２のテーパ面に届きやすい構成とすることができ、結果として、上記各作用効果がより確実に奏される。なお、「短い方の電極が第１のテーパ面に届くことなく、かつ第２のテーパ面に確実に届くようにした」こととしてもよい。
【００２２】
手段８．少なくとも前記第２のテーパ面は、短い方の電極の先端側が優先的に案内されるよう構成されていることを特徴とする手段３乃至７のいずれかに記載の電極仕分け装置。
【００２３】
手段８によれば、少なくとも第２のテーパ面は、短い方の電極の先端側が優先的に案内されるよう構成されているため、電極のねじれや曲がりがあっても、より確実に、短い方の電極を他方の面側に案内することができる。
【００２４】
手段９．前記セパレータは、前記電極の長手方向に移動設置可能となっていることを特徴とする手段３乃至８のいずれかに記載の電極仕分け装置。
【００２５】
手段９によれば、セパレータが電極の長手方向に移動設置されることで、そのときどきの素子の仕様（サイズ、形状等）に応じた仕分けを行うことができる。
【００２６】
手段１０．前記第１のテーパ面は、少なくとも前記一対の電極の付け根部における両電極間の中央部から長い方の電極までの距離よりも大きな案内幅を具備していることを特徴とする手段３乃至９のいずれかに記載の電極仕分け装置。
【００２７】
手段１０によれば、長い方の電極が湾曲、屈曲していたとしても、該電極はより確実に第１のテーパ面により案内されやすい。そのため、上記各作用効果がより確実に奏される。
【００２８】
手段１１．前記第２のテーパ面は、少なくとも前記一対の電極の付け根部における両電極間の中央部から短い方の電極までの距離よりも大きな案内幅を具備していることを特徴とする手段３乃至１０のいずれかに記載の電極仕分け装置。
【００２９】
手段１１によれば、短い方の電極が湾曲、屈曲していたとしても、該電極はより確実に第２のテーパ面により案内されやすい。そのため、上記各作用効果がより確実に奏される。
【００３０】
手段１２．前記第２のテーパ面による短い方の電極の案内開始位置は、案内後の長い方の電極を案内不能な位置に設定されていることを特徴とする手段３乃至１１のいずれかに記載の電極仕分け装置。
【００３１】
手段１２によれば、短い方の電極が第２のテーパ面によって案内され始めるに際し、案内後の長い方の電極が第２のテーパ面によって案内されてしまうことがないため、より確実な仕分けを行うことが可能となる。
【００３２】
手段１３．本体部及び本体部から延び、長さの異なる一対の電極を具備し、かつ、前記本体部が保持された状態で搬送されてくる素子に関し、前記各電極間に対応する位置にセパレータを固定的に設置することで、セパレータを通過させられる前記素子の各電極が互いに離間状態となるよう仕分けるための電極仕分け装置であって、前記セパレータは、短い方の電極が届かない部位に位置し、まず長い方の電極のみを一方の面側へ案内可能な第１のテーパ面と、前記長い方の電極が一方の面側へ完全に案内された後で、短い方の電極のみを他方の面側へ案内可能な第２のテーパ面とを具備することを特徴とする電極仕分け装置。
【００３３】
手段１３によれば、本体部が保持された状態で素子が搬送される。各電極間に対応する位置に固定的に設置されたセパレータを、素子の各電極が通過させられることで、互いに離間状態となるよう仕分けられる。セパレータの第１のテーパ面によって、まず長い方の電極のみが一方の面側へ案内される。このとき、短い方の電極は第１のテーパ面には届かないので、該第１のテーパ面によって案内されてしまうことがない。次いで、長い方の電極が一方の面側へ完全に案内された後で、短い方の電極のみが第２のテーパ面によって他方の面側へ案内される。従って、たとえ電極が互いに絡み合ったり、交差したりしていても、長い方の電極と、短い方の電極とを確実に仕分けすることができる。そのため、その後の工程における不具合を起こりにくくすることができる。また、上記仕分けは、素子が断続的又は連続的に搬送される場合には、その搬送に合わせて断続的又は連続的に行われることとなり、この場合仕分けが効率的に行われる。
【００３４】
手段１４．前記素子は、電解コンデンサ素子であり、前記電極は針金状のプラス及びマイナスリード線であることを特徴とする請求項１乃至１３のいずれかに記載の電極仕分け装置。
【００３５】
手段１４によれば、一旦仕分けられた電解コンデンサ素子のプラスリード線及びマイナスリード線が、別途外的作用がない限り、再度絡み合ったり交わり合ったりすることがない。また、仕分けが容易に行われる。
【００３６】
【発明の実施の形態】
以下、一実施の形態について、図１乃至図３を参照しつつ説明する。
【００３７】
図１，２に示すように、本実施の形態において仕分けの対象となる電解コンデンサ素子（以下、単に「素子」という）１は、所謂エージング処理が施された直後のものであって、略円柱状の本体部２と、本体部２から延びる電極としての１対のプラスリード線３及びマイナスリード線４とから構成されている。本実施の形態では、プラスリード線３の方が、マイナスリード線４よりも例えば５ｍｍ程度長くなっている。
【００３８】
エージング処理を経た素子１は、コンベアチャックと称される保持具（図示略）にて保持された状態で、所定方向へと搬送される。より詳しく説明すると、コンベアチャックは、搬送用のベルト１２の長手方向に沿って数多く（例えばほぼ連続して）取付けられており、一対のアーム状の把持部を備えている。そして、各コンベアチャック１１によって、各素子１の本体部２が保持されるとともに、各素子１は、前記ベルト１２の移動に伴って搬送され、次のＬＣ充電工程へと供されるようになっている。
【００３９】
上記保持状態にあっては、一対のリード線３，４は、一側方へ突出した状態となっている。このとき、基本的にはプラスリード線３が下方に、マイナスリード線４が上方に位置するよう両リード線３，４が上下並行状態となって移動されるようになっている。
【００４０】
但し、全ての素子１について両リード線３，４が直線状に延び、かつ、離間状態が維持されている訳ではなく、中には互いに若干絡み合ったり、交差したりしているものもある。本実施の形態では、このような若干の絡み合いや交差、或いは折曲等を解除して、両リード線３，４を離間状態に仕分けするための仕分け装置２１が、各素子１の搬送経路の途中に設けられている。
【００４１】
仕分け装置２１は、板状のセパレータ２２を備えている。セパレータ２２は、素子１の搬送を阻害しないよう、前記両リード線３，４の幅方向ほぼ中間位置に、固定状態で設置されている。そして、前記両リード線３，４がそれぞれセパレータ２２の上下面を摺動しつつ通過するようになっている。
【００４２】
セパレータ２２の本体部分２３は、その厚さ（上面と下面との距離）ｄが前記リード線３，４の付け根部分の間隔よりも幾分大きくなっており、その先端部分には各リード線３，４を案内するための機構が設けられている。より詳しく説明すると、セパレータ２２の先端にはプラスリード線３を案内するための第１のテーパ面２４が設けられている。この第１のテーパ面２４は、搬送されてくる素子１のプラスリード線３の先端部分を下方へ案内するものであって、斜め下方を向いている。
【００４３】
また、セパレータ２２の先端は鈎状に切り欠かれており、この切り欠かれた部分の先端側に、マイナスリード線４を案内するための第２のテーパ面２５が設けられている。この第２のテーパ面２５は、搬送されてくる素子１のマイナスリード線４の先端部分を上方へ案内するものであって、斜め上方を向いている。
【００４４】
つまり、セパレータ２２の第１のテーパ面２４に対応する部分及び第２のテーパ面２５に対応する部分は共に先端が尖った楔状をなしている。但し、前記第１のテーパ面２４と第２のテーパ面２５とはリード線３，４の長手方向に沿ってそれぞれ別の部位に設けられており、特に、第１のテーパ面２４は、第２のテーパ面２５よりも素子１の本体部２から離れた位置に設けられていること、つまりは前記切り欠き部分が存在することによって、マイナスリード線４が、第１のテーパ面２４には当たらないように構成されている。
【００４５】
さらに、第１のテーパ面２４と第２のテーパ面２５との間には、素子１の搬送方向に所定の隔たりＬが設けられている。併せて、第２のテーパ面２５は、マイナスリード線４の先端側が優先的に案内されるよう、その先端が斜状に構成されている。つまり、リード線３，４の長手方向と、前記第２のテーパ面２５の先端線とは、所定角度θ分だけ交差するように設定されている。
【００４６】
次に、上記のように構成された仕分け装置２１を用いて、リード線３，４の仕分けを行う場合の作用及び効果について説明する。
【００４７】
図３（ａ）［パターンＡ］，（ｂ）［パターンＢ］に示すように、素子１がコンベアチャック１１に保持された状態で搬送されてきて、リード線３，４がセパレータ２２に対応する位置に到達すると、まず、長い方のプラスリード線３が第１のテーパ面２４に当たり、該テーパ面２４に沿って斜め下方へと案内される。このとき、短い方のマイナスリード線４は、離れた位置にある第１のテーパ面２４には届かず、該テーパ面２４によって案内されてしまうことがない。
【００４８】
そして、プラスリード線３がセパレータ２２の本体部分２３下面に案内されてからしばらくすると、今度は、マイナスリード線４が第２のテーパ面２５に当たり、該テーパ面２５に沿って斜め上方へと案内される。このとき、長い方のプラスリード線３は、既に本体部分２３の下面に案内されてしまっている（プラスリード線３の先端が本体部分２３の下面に沿って移動している）ので、第２のテーパ面２５によって案内されてしまうことがない。
【００４９】
その後、プラスリード線３は、セパレータ２２の下面に沿って摺動し、マイナスリード線４は、セパレータ２２の上面に沿って摺動する。そして、セパレータ２２を通過した素子１のプラスリード線３及びマイナスリード線４は、上下に確実に仕分けされ、別途外的作用がない限り、再度絡み合ったり交わり合ったりすることがない。
【００５０】
以上詳述したように、本実施の形態によれば、セパレータ２２の第１のテーパ面２４によって、まず長い方のプラスリード線３のみが下面側へ案内され、次いで第２のテーパ面２５によって短い方のマイナスリード線４のみが上面側へ案内される。従って、たとえリード線３，４同士が多少絡み合ったり、交差したりしていていても、プラスリード線３とマイナスリード線４とを確実に仕分けすることができる。そのため、その後の工程における不具合を起こりにくくすることができる。
【００５１】
特に、本実施の形態では、第１のテーパ面２４と第２のテーパ面２５との間に素子１の移動方向に所定の隔たりＬを設けることとしたため、長い方のプラスリード線３が下面側へ完全に案内された後で短い方のマイナスリード線４のみが上面側へ案内される。従って、上記仕分けが、より正確かつ確実に行われる。
【００５２】
また、第２のテーパ面２５の先端が斜状に構成されており、これによりマイナスリード線４は、基端側よりむしろ先端側から優先的に第２のテーパ面２５に案内される。従って、より確実に、短い方のマイナス電極箔４を上面側に案内することができる。
【００５３】
尚、上述した実施の形態の記載内容に限定されることなく、例えば次のように実施してもよい。
【００５４】
（ａ）上記実施の形態では特に説明していないが、各リード線３，４の長手方向にセパレータ２２が移動設置可能となっていてもよい。このような構成とすることで、仕分け対象となるそのときどきの素子１の仕様（サイズ、形状等）、或いはリード線３，４の長さ等に応じた適切な仕分けを行うことができる。
【００５５】
（ｂ）上記実施の形態では、長い方をプラスリード線３、短い方をマイナスリード線４としているが、両者の長短関係を逆にしてもよい。
【００５６】
（ｃ）相対移動関係を逆にしてもよい。すなわち、素子１側を固定しておいて、セパレータ２２を移動させることとしてもよい。
【００５７】
（ｄ）上記実施の形態における隔たりＬを設けない構成としてもよい。例えば、プラスリード線３がセパレータ２２下面に案内された時点で、マイナスリード線４が第２のテーパ面２５によって案内される構成となっていてもよい。
【００５８】
（ｅ）上記実施の形態における所定角度θをゼロとしてもよい。また、第１のテーパ面２４側にも所定角度を設定し、プラスリード線３についても先端側から優先的に案内される構成としてもよい。
【００５９】
（ｆ）上記実施の形態では、エージング処理後、ＬＣ充電前のタイミングで仕分けが行われるようになっているが、別のタイミングで仕分けを行うこととしてもよい。
【００６０】
（ｇ）電極は針金状のリード線３，４でなくてもよい。例えば、変形可能な板状の電極板により構成されていてもよい。
【００６１】
（ｈ）上記実施の形態では、セパレータ２２が１つの板状体により構成されているが、２つ或いはそれ以上の部材によりセパレータを構成することとしてもよい。
【００６２】
（ｉ）上記実施の形態における第１のテーパ面２４の先端が、セパレータ２２の本体部２３の板厚をはみだしていても差し支えない。
【図面の簡単な説明】
【図１】一実施の形態における仕分け装置等を示す概略斜視図である。
【図２】仕分け装置等を拡大して示す斜視図である。
【図３】（ａ），（ｂ）は各パターン毎のセパレータ出のリード線仕分けに際しての作用を示す概略側面図である。
【図４】従来における仕分け方法を説明するための概略斜視図である。
【図５】（ａ）は従来での不具合を説明する模式的な正断面図であり、（ｂ）は従来での不具合を説明する模式的な平面図である。
【符号の説明】
１…（電解コンデンサ）素子、２…本体部、３…電極を構成するプラスリード線、４…電極を構成するマイナスリード線、２１…仕分け装置、２２…セパレータ、２３…本体部分、２４…第１のテーパ面、２５…第２のテーパ面。
【図１】
0004451026.tif 000002
【図２】
0004451026.tif 000003
【図３】
0004451026.tif 000004
【図４】
0004451026.tif 000005
【図５】
0004451026.tif 000006